Podtech/llm-jp-corpus-v4-ja_patent huggingface dataset:
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
厚みが１２５μｍ以下である基材の少なくとも一方の面に、ポリシラザンおよび長周期型周期表の第２族、第１３族、および第１４族の元素からなる群より選択される少なくとも１種の元素（ただし、ケイ素および炭素を除く）を含有する塗布液を塗布し塗膜層を得た後、前記塗膜層に改質処理を施すことにより第１のガスバリア層を形成する工程と、
前記第１のガスバリア層と隣接するように、真空成膜法により第２のガスバリア層を形成する工程と、
を含む、ガスバリア性フィルムの製造方法。
【請求項２】
得られたガスバリア性フィルムにおいて、前記基材の少なくとも一方の面に、前記第１のガスバリア層／前記第２のガスバリア層／前記第１のガスバリア層の構成、または前記第２のガスバリア層／前記第１のガスバリア層／前記第２のガスバリア層の構成が少なくとも１つ存在する、請求項１に記載のガスバリア性フィルムの製造方法。
【請求項３】
前記第２のガスバリア層の厚みが１０〜５００ｎｍである、請求項１または２に記載のガスバリア性フィルムの製造方法。
【請求項４】
前記長周期型周期表の第２族、第１３族、および第１４族の元素からなる群より選択される少なくとも１種の元素が、アルミニウム（Ａｌ）、インジウム（Ｉｎ）、ガリウム（Ｇａ）、マグネシウム（Ｍｇ）、カルシウム（Ｃａ）、ゲルマニウム（Ｇｅ）、およびホウ素（Ｂ）からなる群より選択される少なくとも１種である、請求項１〜３のいずれか１項に記載のガスバリア性フィルムの製造方法。
【請求項５】
前記長周期型周期表の第２族、第１３族、および第１４族の元素からなる群より選択される少なくとも１種の元素が、アルミニウム（Ａｌ）である、請求項４に記載のガスバリア性フィルムの製造方法。
【請求項６】
請求項１〜５のいずれか１項に記載の製造方法によりガスバリア性フィルムを製造する工程と、
得られたガスバリア性フィルムを用いて電子素子本体を封止する工程と、
を含む、電子デバイスの製造方法。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
基材の少なくとも一方の面に、ポリシラザンおよび長周期型周期表の第２族〜第１４族の元素からなる群より選択される少なくとも１種の元素（ただし、ケイ素および炭素を除く）を含有する塗布液を塗布し塗膜層を得る工程と、
前記塗膜層にイオンを注入して改質処理を行うことにより第１のガスバリア層を形成する工程と、
を含む、ガスバリア性フィルムの製造方法。
【請求項２】
前記改質処理を、外部電界を用いて発生させたプラズマ中に存在するイオンを前記塗膜層に注入する方法により行い、
前記改質処理を行う際の雰囲気圧力が１Ｐａ以下である、請求項１に記載のガスバリア性フィルムの製造方法。
【請求項３】
前記第１のガスバリア層と隣接するように、真空成膜法により第２のガスバリア層を形成する工程をさらに含む、請求項１または２に記載のガスバリア性フィルムの製造方法。
【請求項４】
前記長周期型周期表の第２族〜第１４族の元素からなる群より選択される少なくとも１種の元素が、ホウ素（Ｂ）、マグネシウム（Ｍｇ）、アルミニウム（Ａｌ）、カルシウム（Ｃａ）、チタン（Ｔｉ）、クロム（Ｃｒ）、マンガン（Ｍｎ）、鉄（Ｆｅ）、コバルト（Ｃｏ）、銅（Ｃｕ）、亜鉛（Ｚｎ）、ガリウム（Ｇａ）、ジルコニウム（Ｚｒ）、銀（Ａｇ）、およびインジウム（Ｉｎ）からなる群より選択される少なくとも１種である、請求項１〜３のいずれか１項に記載のガスバリア性フィルムの製造方法。
【請求項５】
前記第１のガスバリア層における前記長周期型周期表の第２族〜第１４族の元素からなる群より選択される少なくとも１種の元素の含有量が、ケイ素（Ｓｉ）の含有量１００ｍｏｌ％に対して５〜２０ｍｏｌ％である、請求項１〜４のいずれか１項に記載のガスバリア性フィルムの製造方法。
【請求項６】
請求項１〜５のいずれか１項に記載の製造方法によりガスバリア性フィルムを製造する工程と、
得られたガスバリア性フィルムを用いて電子素子本体を封止する工程と、
を含む、電子デバイスの製造方法。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
軸方向に延在する側壁、開口端、前記開口端から軸方向に離れた横方向に延在する閉じた端壁、前記側壁および前記端壁で部分的に画定されて加圧された気体を受ける圧力チャンバ、前記側壁を貫通するベント通路、とが設けられたケースと、
伸長位置および退行位置間に往復運動する前記ケースに少なくとも部分的に受けられるピストンロッドであって、該ピストンロッドが伸長位置にあるときに前記圧力チャンバと連通する内側端および前記ケースの前記開口端の軸方向外側に延在する外側端を有する、ピストンロッドと、
前記ピストンロッドおよび前記ケース間で前記ケースの前記開口端に少なくとも部分的に受けられ、前記ケース内にスライド自在に受けられるピストンロッドハウジングであって、前記圧力チャンバに連通する内装端、および前記内装端から軸方向に離れ前記ケースの前記開口端に隣接し前記ピストンロッドをスライド自在に受ける外装端を有する、ピストンロッドハウジングと、
前記圧力チャンバと気体バネの外側との間に配設され前記ケースの前記側壁を通る前記ベント通路を含むベントパス、および前記ベントパスを密封して遮るシールを含み、前記ピストンロッドのオーバートラベル状態において、前記ピストンロッドハウジングが前記ケースの中に移動して前記ベントパスを前記ケースの前記外側へ開口させるオーバートラベル圧力解放機構と
を備えることを特徴とする気体バネ。
【請求項２】
前記オーバートラベル圧力解放機構に、前記ケースに連結され前記環状シールを保持する中空プラグ体が設けられることを特徴とする請求項１に記載の気体バネ。
【請求項３】
前記オーバートラベル圧力解放機構に、前記ケースの前記オーバートラベル圧力解放の貫通路にネジ嵌合されるネジ部を有しかつ前記環状シールを保持する段差下方端を有する中空プラグ体が設けられることを特徴とする請求項１に記載の気体バネ。
【請求項４】
前記ピストンロッドハウジングに、円筒外側面、および前記環状シールに軸方向に近接する少なくとも１つの凹部が設けられ、前記ピストンロッドハウジングが前記ケース内に移動することで前記環状シールが働くなくなることを特徴とする請求項１に記載の気体バネ。
【請求項５】
前記ピストンロッドハウジングに、前記環状シールから軸方向に離れたシール溝が設けられ、前記凹部が前記シール溝および前記環状シール間に配設されていることを特徴とする請求項４に記載の気体バネ。
【請求項６】
前記凹部が前記シール溝と連通していることを特徴とする請求項５に記載の気体バネ。
【請求項７】
前記ケースに前記環状ケースシールを保持する内部環状ケースシール溝が設けられ、前記ピストンロッドハウジングに前記ケースシールに軸方向に隣接のオーバートラベル圧力解放機構が設けられ、前記ハウジングが前記ケース内に移動することで前記ケースシールが働くなくなることを特徴とする請求項１に記載の気体バネ。
【請求項８】
前記オーバートラベル圧力解放機構が前記ピストンロッドハウジングの中の軸方向に延在する凹部とされることを特徴とする請求項１に記載の気体バネ。
【請求項９】
前記ピストンロッドハウジングの上端に、連結され前記ハウジングの長さを延長するハウジングキャップがさらに設けられていることを特徴とする請求項１に記載の気体バネ。
【請求項１０】
前記ハウジングキャップおよび前記ピストンロッドの上端が、保持リングおよび複数のネジで連結され、
前記保持リングが、対応する径方向外側および内側に延在する前記ハウジングおよびキャップのショルダ間に保持され、
前記ネジが前記キャップを貫通して前記保持リングにネジ締めされ、該保持リングが対応するハウジングショルダに着座されることを特徴とする請求項９に記載の気体バネ。
【請求項１１】
前記ハウジングおよび前記ピストンロッドの上端がバヨネットカップリングで連結されていることを特徴とする請求項９に記載の気体バネ。
【請求項１２】
軸方向に延在する側壁、開口端、前記開口端から軸方向に離れた横方向に延在する閉じた端壁、前記側壁および端壁で部分的に画定されて加圧された気体を受ける圧力チャンバ、内部に存する内部環状ケースシール溝、とが設けられたケースと、
前記ケースの前記シール溝に保持される環状ケースシールと、
伸長位置および退行位置間に往復運動する前記ケースに少なくとも部分的に受けられるピストンロッドであって、該ピストンロッドが伸長位置にあるときに前記圧力チャンバと連通する内側端および前記ケースの前記開口端の軸方向外側に延在する外側端を有する、ピストンロッドと、
前記ピストンロッドおよび前記ケース間で前記ケースに少なくとも部分的に受けられ、前記ケース内にスライド自在に受けられるピストンロッドハウジングであって、前記圧力チャンバに連通する内装端および前記内装端から軸方向に離れ前記ケースの前記開口端に隣接し前記ピストンロッドをスライド自在に受ける外装端を有し、前記ケースシールに封止して係合する円筒状下部スカートを有し、前記ケーシングシールに軸方向に隣接するオーバートラベル圧力解放機構を有するピストンロッドハウジングと、が設けられ、前記ピストンロッドのオーバートラベル状態において、前記ピストンロッドハウジングが前記ケースの中に移動して前記ベント通路のシールを破る
ことを特徴とする気体バネ。
【請求項１３】
前記オーバートラベル圧力解放機構に前記ピストンロッドの凹部が設けられていることを特徴とする請求項１２に記載の気体バネ。
【請求項１４】
前記オーバートラベル圧力解放機構に前記環状ケースシールの一部分に軸方向に隣接するか重なる下端が設けられていることを特徴とする請求項１２に記載の気体バネ。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
貫通する流路（１２）を備えたケーシング（１０）と、
前記流路（１２）内に配置された弁プレート（２０）と、
前記弁プレート（２０）に接続されたシャフト（２２）と
を備え、
前記弁プレート（２０）は、前記シャフト（２２）により回転されるように構成されかつ配置されており、これにより前記流路（１２）を通る流体の流れを選択的に許容しかつ遮断するようになっている、バタフライ弁であって、
前記ケーシング（１０）内に設けられた通路（１４）であって、遠位の両端部をもって、前記弁プレート（２０）の一方の側から前記弁プレート（２０）の他方の側へ前記流路（１２）から延びており、これにより前記弁プレート（２０）を迂回する択一的な流路を提供する通路（１４）と、
該通路（１４）の遠位の両端部の間に設けられたキャビティ（１６）と、
該キャビティ（１６）内に設けられた弁ヘッド（３０）であって、前記キャビティ（１６）内で閉位置と開位置との間で可動であるように構成されかつ配置されていて、前記閉位置では、前記通路（１４）の前記遠位の両端部が、前記通路（１４）を通じて流体遮断されており、前記開位置では、前記通路（１４）の前記遠位の両端部が、前記通路（１４）を通じて流体接続されている、弁ヘッド（３０）と
を備えることを特徴とする、バタフライ弁。
【請求項２】
前記弁ヘッド（３０）による前記通路（１４）の開閉が前記シャフト（２２）の回転によって生じるように、前記シャフト（２２）および前記弁ヘッド（３０）が構成されかつ配置されている、請求項１記載のバタフライ弁。
【請求項３】
前記シャフト（２２）が少なくとも部分的に前記キャビティ（１６）を通じて延びており、前記弁ヘッド（３０）は、前記シャフト（２２）の回転軸線（２６）の方向に限定された運動のために構成されている、請求項１または２記載のバタフライ弁。
【請求項４】
前記キャビティ（１６）内に配置された、前記シャフト（２２）の部分に設けられた横方向部材（２４）と、
前記弁ヘッド（３０）に設けられた、前記シャフト（２２）の回転軸線（２６）に対して傾斜した角度で延びている溝（３２）と、をさらに備え、
前記横方向部材（２４）は、前記溝（３２）内に可動に嵌合するような大きさで成形されており、前記溝（３２）の傾斜した角度は、前記シャフト（２２）の回転が、前記通路（１４）の開放位置および前記通路（１４）の閉鎖位置の間での、前記シャフト（２２）の前記回転軸線（２６）に沿った前記弁ヘッド（３０）の運動を生ぜしめるようになっており、
前記溝（３２）は、前記弁プレートの閉鎖位置において、前記シャフト（２２）の方向から最も大きな角度を有している、請求項１から３までのいずれか１項記載のバタフライ弁。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
被転写体の表面移動方向に沿って配置される複数の画像形成部に備わった各潜像担持体の表面に形成したトナー像を該被転写体に転写して画像を形成しつつ、各画像形成部に備わったクリーニング装置でそれぞれの潜像担持体の表面上の不要トナーを回収する画像形成装置に設けられ、
各クリーニング装置に設けられる各トナー排出口から排出される不要トナーを、前記複数の画像形成部の並び方向に沿って配置される共通搬送路内へ、該各トナー排出口と該共通搬送路のトナー受入口とを連通させる各連通路を通して移送した後、回転軸方向へ不要トナーを搬送する回転搬送部材によって該共通搬送路内の不要トナーを該回転軸方向に沿って直線状に搬送して不要トナー回収容器へ送る不要トナー搬送装置であって、
各クリーニング装置のトナー排出口と前記回転搬送部材の回転軸との距離が前記複数の画像形成部間で不一致である画像形成装置に設けられるものであり、
各クリーニング装置のトナー排出口と前記各連通路が接続される前記共通搬送路のトナー受入口との位置関係が前記複数の画像形成部間で一致するように、前記共通搬送路を構成し、
前記各連通路を、同じ構成の連通路形成部材によって形成したことを特徴とする不要トナー搬送装置。
【請求項２】
請求項１の不要トナー搬送装置において、
前記共通搬送路を形成する共通搬送路形成部材は、円筒状部材で構成され、各トナー受入口が形成される箇所の径を異ならせることで、各クリーニング装置のトナー排出口に対する各トナー受入口の位置関係が前記複数の画像形成部間で一致するように構成されたものであることを特徴とする不要トナー搬送装置。
【請求項３】
請求項２の不要トナー搬送装置において、
前記回転搬送部材は、スクリューの回転軸方向外方端部が前記共通搬送路形成部材の内壁との間に所定ギャップをあけて位置するように配置されるスクリュー状部材であり、前記共通搬送路形成部材の径の違いに応じて、スクリューの外径を異ならせたものであることを特徴とする不要トナー搬送装置。
【請求項４】
請求項３の不要トナー搬送装置において、
スクリューの外径が小さいスクリュー部材部分で搬送する不要トナーを排出したクリーニング装置を備える画像形成部で形成するトナー像の画像面積に応じて、該スクリュー部材部分による不要トナーの搬送速度を制御する搬送制御手段を有することを特徴とする不要トナー搬送装置。
【請求項５】
請求項２乃至４のいずれか１項に記載の不要トナー搬送装置において、
前記共通搬送路形成部材の径が異なる箇所をつなぐ部分をテーパー状に形成したことを特徴とする不要トナー搬送装置。
【請求項６】
請求項２乃至４のいずれか１項に記載の不要トナー搬送装置において、
前記共通搬送路形成部材は、前記共通搬送路内を搬送された不要トナーの出口が、前記共通搬送路形成部材の径が異なる箇所をつなぐ部分に形成されたものであり、
前記回転搬送部材は、前記共通搬送路内の不要トナーを前記出口に向けて互いに逆向きに搬送するように構成されていることを特徴とする不要トナー搬送装置。
【請求項７】
請求項１乃至５のいずれか１項に記載の不要トナー搬送装置において、
前記共通搬送路を形成する共通搬送路形成部材は、前記共通搬送路内を搬送された不要トナーの出口が、隣接する２つのトナー受入口が形成されている箇所の間に形成されたものであり、
前記回転搬送部材は、前記共通搬送路内の不要トナーを前記出口に向けて互いに逆向きに搬送するように構成されていることを特徴とする不要トナー搬送装置。
【請求項８】
被転写体の表面移動方向に沿って配置される複数の画像形成部に備わった各潜像担持体の表面に形成したトナー像を該被転写体に転写して画像を形成しつつ、各画像形成部に備わったクリーニング装置でそれぞれの潜像担持体の表面上の不要トナーを回収するものであって、前記各クリーニング装置に設けられる各トナー排出口から排出される不要トナーを、前記複数の画像形成部の並び方向に沿って配置される共通搬送路内へ、該各トナー排出口と該共通搬送路のトナー受入口とを連通させる各連通路を通して移送した後、回転軸方向へ不要トナーを搬送する回転搬送部材によって該共通搬送路内の不要トナーを該回転軸方向に沿って直線状に搬送して不要トナー回収容器へ送る不要トナー搬送装置を備えた画像形成装置において、
前記各クリーニング装置のトナー排出口と前記回転搬送部材の回転軸との距離が前記複数の画像形成部間で不一致であり、
前記不要トナー搬送装置として、請求項１乃至７のいずれか１項に記載の不要トナー搬送装置を用いたことを特徴とする画像形成装置。
【手続補正２】
【補正対象書類名】明細書
【補正対象項目名】００７０
【補正方法】変更
【補正の内容】
【００７０】
（態様Ｇ）
前記態様Ａ〜Ｅのいずれかの態様において、前記共通搬送路を形成する共通搬送路形成部材は、前記共通搬送路内を搬送された不要トナーの出口が、隣接する２つのトナー受入口が形成されている箇所の間に形成されたものであり、前記回転搬送部材は、前記共通搬送路内の不要トナーを前記出口に向けて互いに逆向きに搬送するように構成されていることを特徴とする。
これによれば、前記変形例１で説明したとおり、共通搬送路の出口を共通搬送路の一端部に設ける場合と比べて、回転搬送部材に求められる搬送能力を下げることができるので、回転搬送部材の小型化や回転速度の低速化などが実現可能となる。
【手続補正書】
【提出日】平成29年1月30日(2017.1.30)
【手続補正１】
【補正対象書類名】明細書
【補正対象項目名】００８７
【補正方法】変更
【補正の内容】
【００８７】
【表５】
2015059059.tif 000001
【手続補正２】
【補正対象書類名】明細書
【補正対象項目名】００８９
【補正方法】変更
【補正の内容】
【００８９】
表５の結果からは、ドメインサイズが１５０ｎｍ以下の陽イオン交換膜は、膜抵抗が低い膜となり、陽イオン交換膜として優れていることが判る（ＣＥＭ−１〜７）。さらに、塩含有重量（Ｃ）が４．０％以下の膜は、ドメインサイズが１３０ｎｍ以下であり、膜抵抗が低くなることがわかる（ＣＥＭ−２〜７）。一方で、ドメインサイズが１５０ｎｍよりも大きい陽イオン交換膜は、高い膜抵抗を有し、陽イオン交換膜としての特性が発現しなかった（ＣＥＭ−８〜１０）。特に、塩含有量（Ｃ）の多いものは膜のポリマーセグメントの相分離が激しく、イオン交膜全体で空隙が発生し、イオン交換膜として満足のいく特性を発現していない（ＣＥＭ−８）。なお、ＣＥＭ−９では、精製したＮａＳＳ−２を使用しているが、重合開始剤としてＫＰＳを使用しているため、得られた陽イオン交換樹脂中の塩含有量は高い。
一方で、完全相溶系であると考えられるミクロ相分離が確認されなかったランダムブロック共重合体のＰ−６を用いた膜（ＣＥＭ−１１）は、相分離ドメインサイズの小さいブロック共重合体Ｐ−５（ＣＥＭ−７）に比べ、膜抵抗が高い（表５）。これから、相分離ドメインが存在し、相分離ドメインサイズ（Ｘ）が０を超す、すなわちＸ＞０であるブロック共重合体であることが、膜性能発現に重要であることがわかる。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
陽イオン交換粒子及び陰イオン交換粒子と混合された、生体適合性材料上に固定化された尿毒症毒素処理酵素粒子の１次層を含む、透析液から代謝廃棄物を除去するための吸着剤であって、
前記１次層の端から端までの透析液の圧力降下が前記陽イオン交換粒子のサイズに依存し、
前記尿毒症毒素処理酵素粒子、前記陽イオン交換粒子、及び前記陰イオン交換粒子が、使用中、前記透析液と直接接触する、
前記吸着剤。
【請求項２】
有機化合物吸収剤粒子の２次層をさらに含む、請求項１に記載の吸着剤。
【請求項３】
尿毒症毒素処理酵素粒子が尿素を炭酸アンモニウムに変換する、請求項１に記載の吸着剤。
【請求項４】
尿毒症毒素処理酵素がウレアーゼである、請求項３に記載の吸着剤。
【請求項５】
陽イオン交換粒子がリン酸ジルコニウム粒子である、請求項１又は２に記載の吸着剤。
【請求項６】
陰イオン交換粒子が酸化ジルコニウム粒子である、請求項１に記載の吸着剤。
【請求項７】
有機化合物吸収剤粒子が活性炭粒子である、請求項２に記載の吸着剤。
【請求項８】
ウレアーゼが、セルロース、ナイロン、ポリカプロラクトン、及びキトサンの少なくとも１種に固定化される、請求項４に記載の吸着剤。
【請求項９】
酸化ジルコニウムが含水酸化ジルコニウムである、請求項６に記載の吸着剤。
【請求項１０】
ウレアーゼ粒子が、１０ミクロン〜１０００ミクロンの範囲の平均粒度を有する、請求項４に記載の吸着剤。
【請求項１１】
リン酸ジルコニウム粒子が、１０ミクロン〜１０００ミクロンの範囲の平均粒度を有する、請求項５に記載の吸着剤。
【請求項１２】
酸化ジルコニウム粒子が、１０ミクロン〜１０００ミクロンの範囲の粒度を有する、請求項６に記載の吸着剤。
【請求項１３】
活性炭粒子が、１０ミクロン〜１０００ミクロンの範囲の平均粒度を有する、請求項７に記載の吸着剤。
【請求項１４】
５０ミクロン〜２００ミクロンの範囲の平均粒度を有する陽イオン交換粒子、及び陰イオン交換粒子と混合された、生体適合性材料上に固定化された尿毒症毒素処理酵素粒子の１次層を含む、透析液から代謝廃棄物を除去するための吸着剤であって、
前記尿毒症毒素処理酵素粒子、前記陽イオン交換粒子、及び前記陰イオン交換粒子が、使用中、前記透析液と直接接触する、
前記吸着剤。
【請求項１５】
陽イオン交換粒子及び陰イオン交換粒子と混合された、生体適合性材料上に固定化された尿毒症毒素処理酵素粒子の１次層と、
有機化合物吸収剤粒子の２次層と、
を含む、透析液から代謝廃棄物を除去するための吸着剤。
【請求項１６】
陽イオン交換粒子が、１０ミクロン〜１０００ミクロンの範囲の平均粒度を有する、請求項１５に記載の吸着剤。
【請求項１７】
陽イオン交換粒子がアンモニア吸収剤である、請求項１に記載の吸着剤。
【請求項１８】
陽イオン交換粒子が、そのリン酸塩が低水溶性である金属のイオンを含む、請求項１に記載の吸着剤。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
所定の領域を遊技球が通過することに基づいて、遊技者に有利な特別遊技を行うか否かを判定する特別遊技判定手段と、
所定の操作有効期間において、遊技者によって操作可能な操作手段が操作されたか否かを判定する操作判定手段と、
所定の演出を実行する演出制御手段と、
画像表示手段に装飾図柄を変動表示させてから停止表示させることにより前記特別遊技判定手段による判定結果を報知する装飾図柄制御手段と、
前記所定の領域に対する遊技球の通過状態に応じたレベルの信号を出力するスイッチ手段と、
前記スイッチ手段により出力される信号に基づいて、予め定められた間隔で繰り返し実行される反復処理により、前記所定の領域を遊技球が通過したか否かを判定する判定手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
前記信号レベル判定手段により、第ｎ（ｎは自然数）回目の反復処理において前記第１判定が行われてから、第ｎ＋１回目の反復処理において前記第２判定が複数回行われると、前記所定の領域を遊技球が通過したと判定する通過判定手段とを有し、
前記信号レベル判定手段は、
第ｎ回目の反復処理において前記第１判定を行ってから第ｎ＋１回目の反復処理において前記第２判定を行うと、当該反復処理で更に１回の判定を行い、
前記演出制御手段は、
リーチ演出を実行するリーチ演出制御手段を有し、
前記リーチ演出は、通常リーチ演出と、前記通常リーチ演出と比べ前記特別遊技が行われる可能性が高いことを示唆する特定リーチ演出とを有し、
前記装飾図柄制御手段は、
前記リーチ演出制御手段によって前記特定リーチ演出が実行されているとき、前記装飾図柄を第１表示態様の表示サイズよりも小さい第２表示態様で表示し、前記特定リーチ演出が実行されているときであって前記操作判定手段により肯定判定されたとき、前記装飾図柄を前記第２表示態様から前記第１表示態様に変化させて表示する、遊技機。
【手続補正２】
【補正対象書類名】明細書
【補正対象項目名】０００２
【補正方法】変更
【補正の内容】
【０００２】
昨今の遊技機、例えばパチンコ遊技機においては、遊技者を楽しませるために遊技者が操作可能な複数の操作手段を備えるものが多い。また、始動口への遊技球の入賞を検出して大当り抽選を行う遊技機が一般的である（例えば、非特許文献１）。
【手続補正３】
【補正対象書類名】明細書
【補正対象項目名】０００４
【補正方法】変更
【補正の内容】
【０００４】
上記のように、現在、遊技機には、遊技媒体（遊技機、メダル等）を獲得する楽しみの提供ばかりではなく、様々な価値（例えば、興趣性の高い演出）の提供が求められている。このため、遊技機には、遊技者の興味を惹きつけることが常に求められている。また、近年、遊技機において、演算処理内容の増大により演算処理の負荷が増大している。このことから、遊技機において実行される主要な演算処理であるタイマ割り込み処理の実行間隔（割り込み間隔）が長くなっている。これに伴って、タイマ割り込み処理において実行される、始動口等を遊技球が通過したことを判定するための処理の実行間隔も長くなっている。そこで、この様な状況においても遊技球の通過の判定を確実に行うことができる遊技機が求められている。
【手続補正４】
【補正対象書類名】明細書
【補正対象項目名】０００５
【補正方法】変更
【補正の内容】
【０００５】
本発明は、上記事情に鑑みてなされたものであって、その主たる目的は、遊技者の興味を惹きつけることができ、遊技球の通過判定の精度を向上させることができる遊技機を提供することである。
【手続補正５】
【補正対象書類名】明細書
【補正対象項目名】０００７
【補正方法】変更
【補正の内容】
【０００７】
本発明の一局面に係る遊技機（１）は、
所定の領域を遊技球が通過することに基づいて、遊技者に有利な特別遊技を行うか否かを判定する特別遊技判定手段（１００）と、
所定の操作有効期間において、遊技者によって操作可能な操作手段が操作されたか否かを判定する操作判定手段（５００）と、
所定の演出を実行する演出制御手段（４００、５００）と、
画像表示手段に装飾図柄を変動表示させてから停止表示させることにより前記特別遊技判定手段による判定結果を報知する装飾図柄制御手段（５００）と、
前記所定の領域に対する遊技球の通過状態に応じたレベルの信号を出力するスイッチ手段（近接スイッチ）と、
前記スイッチ手段により出力される信号に基づいて、予め定められた間隔で繰り返し実行される反復処理（タイマ割込み処理）により、前記所定の領域を遊技球が通過したか否かを判定する判定手段とを備え、
前記判定手段は、
前記スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
前記信号レベル判定手段により、第ｎ（ｎは自然数）回目の反復処理において前記第１判定が行われてから、第ｎ＋１回目の反復処理において前記第２判定が複数回行われると、前記所定の領域を遊技球が通過したと判定する通過判定手段とを有し、
前記信号レベル判定手段は、
第ｎ回目の反復処理において前記第１判定を行ってから第ｎ＋１回目の反復処理において前記第２判定を行うと、当該反復処理で更に１回の判定を行い（図５ご参照）、
前記演出制御手段は、
リーチ演出を実行するリーチ演出制御手段（４００、５００）を有し、
前記リーチ演出は、通常リーチ演出と、前記通常リーチ演出と比べ前記特別遊技が行われる可能性が高いことを示唆する特定リーチ演出とを有し、
前記装飾図柄制御手段は、
前記リーチ演出制御手段によって前記特定リーチ演出が実行されているとき、前記装飾図柄を第１表示態様の表示サイズよりも小さい第２表示態様で表示し、前記特定リーチ演出が実行されているときであって前記操作判定手段により肯定判定されたとき、前記装飾図柄を前記第２表示態様から前記第１表示態様に変化させて表示する（図３１ご参照）。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、遊技者の興味を惹きつけることができ、遊技球の通過判定の精度を向上させることができる遊技機を提供することができる。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
遊技を司る主制御手段と、
前記主制御手段と通信可能に接続され、前記主制御手段からの演出に係る指令に基づいて前記遊技に伴う演出制御を実行する演出制御手段と、を備え、
前記主制御手段は、
前記遊技に伴って発生する遊技情報を記憶する遊技情報記憶手段と、
遊技領域に送出された遊技媒体が所定の始動領域に進入したことを条件として当否抽選を実行する当否抽選手段と、
前記遊技情報記憶手段に含まれ、前記当否抽選の抽選結果を所定数を上限として複数回分記憶可能な当否抽選結果記憶手段と、
前記演出に係る指令を生成する演出指令生成手段と、
前記演出に係る指令を前記演出制御手段に向けて送信する通信手段と、を有し、
前記演出制御手段は、
複数区分の状態演出に対応した状態演出データを記憶した状態演出データ記憶手段と、
画像演出と音響演出とを含む実体演出に対応した実体演出データを記憶した実体演出データ記憶手段と、
前記状態演出及び前記実体演出により構成される遊技演出を前記当否抽選の結果に基づいた内容で出力する遊技演出出力手段と、
前記複数区分の状態演出のうちのいずれか一つを設定する状態演出設定手段と、
前記状態演出を前記状態演出設定手段により設定された前記状態演出の区分へと変更する状態演出変更手段と、
前記状態演出設定手段により設定された前記状態演出の区分、及び前記当否抽選手段の前記抽選結果、に基づき前記実体演出を選択する実体演出選択手段と、
設定された前記状態演出の前記状態演出データに関係する状態演出用画像データ、及び設定された前記状態演出の区分に関係付けられた前記実体演出の前記実体演出データに関係する実体演出用画像データ、を組み合わせて前記遊技演出に用いられる遊技演出用画像データを形成する画像形成手段と、を有し、
前記実体演出は、前記状態演出の前記区分に関係付けされたものであるとともに、前記当否抽選の結果を報知可能な図柄を、予め定められた所定の変動期間内で変動させるものであり、
遊技者により操作される選択入力手段を備え、
前記状態演出設定手段は、前記実体演出が実行されている期間において、前記選択入力手段への操作に基づき、前記複数区分の状態演出のうちのいずれか一つを設定可能であり、
前記状態演出データ記憶手段が記憶している１の状態演出データを前記複数区分の状態演出データの内他の状態演出データに変更可能な期間において前記選択入力手段への操作を有効とし、
前記選択入力手段に対する遊技者操作に基づいて状態演出データが変更された場合は、変更後の状態演出データに係る状態演出データ告知情報の画像表示を行い、当該状態演出データ告知情報を表示した次の実体演出の実行タイミングより、状態演出および実体演出のすべてが変更後の状態演出データに基づいた演出内容に変更されて実施されることを特徴とする遊技機。
【手続補正２】
【補正対象書類名】明細書
【補正対象項目名】０００５
【補正方法】変更
【補正の内容】
【０００５】
上記課題を解決するために本発明は、
遊技を司る主制御手段（例えばメイン基板など）と、
前記主制御手段と通信可能に接続され、前記主制御手段からの演出に係る指令に基づいて前記遊技に伴う演出制御を実行する演出制御手段（例えばサブ基板など）と、を備え、
前記主制御手段は、
前記遊技に伴って発生する遊技情報を記憶する遊技情報記憶手段（例えばＲＷＭなど）と、
遊技領域に送出された遊技媒体が所定の始動領域（例えば第１始動入賞口、第２始動入賞口など）に進入したことを条件として当否抽選を実行する当否抽選手段（例えばＣＰＵなど）と、
前記遊技情報記憶手段に含まれ、前記当否抽選の抽選結果を所定数を上限として複数回分記憶可能な当否抽選結果記憶手段（例えばＲＷＭなど）と、
前記演出に係る指令を生成する演出指令生成手段（例えばＣＰＵなど）と、
前記演出に係る指令を前記演出制御手段に向けて送信する通信手段（例えば入出力ポートなど）と、を有し、
前記演出制御手段は、
複数区分の状態演出（例えば演出モードに対応した画像演出、音響演出、光装飾演出など）に対応した状態演出データを記憶した状態演出データ記憶手段（例えばＲＯＭ、演出モード１〜３用テーブルなど）と、
画像演出と音響演出とを含む実体演出（例えば装飾図柄の変動表示、これに時間的に付帯して行われる付帯表示、及びこれらの変動表示や付帯表示に対応付けられた音響演出や光装飾演出など）に対応した実体演出データを記憶した実体演出データ記憶手段（例えばＲＯＭ、演出モード１〜３用テーブルなど）と、
前記状態演出及び前記実体演出により構成される遊技演出を前記当否抽選の結果に基づいた内容で出力する遊技演出出力手段（例えば演出図柄表示装置、スピーカ、遊技効果ランプなど）と、
前記複数区分の状態演出のうちのいずれか一つを設定する状態演出設定手段（例えばＣＰＵなど）と、
前記状態演出を前記状態演出設定手段により設定された前記状態演出の区分へと変更する状態演出変更手段（例えば演出モード変更部、演出モード変更切換制御部など）と、
前記状態演出設定手段により設定された前記状態演出の区分、及び前記当否抽選手段の前記抽選結果、に基づき前記実体演出を選択する実体演出選択手段（例えば装飾図柄表示制御部など）と、
設定された前記状態演出の前記状態演出データに関係する状態演出用画像データ、及び設定された前記状態演出の区分に関係付けられた前記実体演出の前記実体演出データに関係する実体演出用画像データ、を組み合わせて前記遊技演出に用いられる遊技演出用画像データを形成する画像形成手段（例えば画像形成部など）と、を有し、
前記実体演出は、前記状態演出の前記区分に関係付けされたものであるとともに、前記当否抽選の結果を報知可能な図柄（例えば特別図柄、装飾図柄など）を、予め定められた所定の変動期間内で変動させるものであり、
遊技者により操作される選択入力手段（例えば操作ボタンなど）を備え、
前記状態演出設定手段は、前記実体演出が実行されている期間において、前記選択入力手段への操作に基づき、前記複数区分の状態演出のうちのいずれか一つを設定可能であり、
前記状態演出データ記憶手段が記憶している１の状態演出データを前記複数区分の状態演出データの内他の状態演出データに変更可能な期間において前記選択入力手段への操作を有効とし、
前記選択入力手段に対する遊技者操作に基づいて状態演出データが変更された場合は、変更後の状態演出データに係る状態演出データ告知情報の画像表示を行い、当該状態演出データ告知情報を表示した次の実体演出の実行タイミングより、状態演出および実体演出のすべてが変更後の状態演出データに基づいた演出内容に変更されて実施されることを特徴とする遊技機である。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
識別情報の可変表示を行い、識別情報の可変表示の表示結果として特定表示結果が導出表示されたときに遊技価値を付与可能な遊技機であって、
複数種類のキャラクタからいずれかを選択可能なキャラクタ選択手段を備え、
識別情報は、キャラクタが予め設定された態様である通常識別情報と、前記キャラクタ選択手段によって選択されたキャラクタが設定された態様である特殊識別情報とを含み、
前記通常識別情報のうち前記キャラクタ選択手段によって選択されたキャラクタ以外のキャラクタが予め設定された第１通常識別情報の組み合わせによって特定表示結果の一部を構成する態様になったときよりも、前記特殊識別情報の組み合わせによって特定表示結果の一部を構成する態様になったときの方が、遊技者にとって有利な遊技価値が付与される割合が高く、
前記通常識別情報のうち前記キャラクタ選択手段によって選択されたキャラクタと対応関係を有する第２通常識別情報を含む特定表示結果が導出表示されたときよりも、前記特殊識別情報を含む特定表示結果が導出表示されたときの方が、付与される遊技価値として有利度合いが高い遊技価値が付与される割合が高く、
前記第２通常識別情報と前記特殊識別情報とでキャラクタの表示態様が異なる
ことを特徴とする遊技機。
【手続補正２】
【補正対象書類名】明細書
【補正対象項目名】０００７
【補正方法】変更
【補正の内容】
【０００７】
しかし、上記特許文献１に記載された遊技機では、遊技の興趣を十分に向上させることができない。
【手続補正３】
【補正対象書類名】明細書
【補正対象項目名】０００８
【補正方法】変更
【補正の内容】
【０００８】
そこで、本発明は、遊技の興趣を向上させることができる遊技機を提供することを目的とする。
【手続補正４】
【補正対象書類名】明細書
【補正対象項目名】０００９
【補正方法】変更
【補正の内容】
【０００９】
（手段１）本発明による遊技機は、識別情報の可変表示を行い、識別情報の可変表示の表示結果として特定表示結果が導出表示されたときに遊技価値を付与可能な遊技機であって、複数種類のキャラクタからいずれかを選択可能なキャラクタ選択手段を備え、識別情報は、キャラクタが予め設定された態様である通常識別情報と、キャラクタ選択手段によって選択されたキャラクタが設定された態様である特殊識別情報とを含み、通常識別情報のうちキャラクタ選択手段によって選択されたキャラクタ以外のキャラクタが予め設定された第１通常識別情報の組み合わせによって特定表示結果の一部を構成する態様になったときよりも、特殊識別情報の組み合わせによって特定表示結果の一部を構成する態様になったときの方が、遊技者にとって有利な遊技価値が付与される割合が高く、通常識別情報のうちキャラクタ選択手段によって選択されたキャラクタと対応関係を有する第２通常識別情報を含む特定表示結果が導出表示されたときよりも、特殊識別情報を含む特定表示結果が導出表示されたときの方が、付与される遊技価値として有利度合いが高い遊技価値が付与される割合が高く、第２通常識別情報と特殊識別情報とでキャラクタの表示態様が異なることを特徴とする。
そのような構成により、遊技の興趣を向上させることができる。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部の変動表示を停止することで表示結果を導出し、複数の可変表示部の表示結果の組合せである表示結果組合せに応じて入賞が発生可能なスロットマシンにおいて、
表示結果が導出される前に、遊技用価値の付与を伴う小役入賞と、再遊技の付与を伴う再遊技入賞と、を含む複数種類の入賞について発生を許容するか否かを決定する事前決定手段と、
遊技者が表示結果を導出させるために操作する導出操作手段と、
前記表示結果を導出する制御を行う導出制御手段と、
第１遊技状態に制御する第１遊技状態制御手段と、
前記第１遊技状態とは異なる第２遊技状態に制御する第２遊技状態制御手段と、
前記第１遊技状態及び前記第２遊技状態よりも遊技者にとって有利な遊技状態である第３遊技状態に制御する第３遊技状態制御手段と、
前記第１遊技状態において特定移行条件が成立したときに前記第２遊技状態に移行させる第２遊技状態移行手段と、
前記第２遊技状態において所定移行条件が成立したときに前記第３遊技状態へ移行させる第３遊技状態移行手段と、
を備え、
前記第１遊技状態から前記第３遊技状態に直接移行させることがなく、前記第１遊技状態から前記第３遊技状態への移行は、必ず前記第２遊技状態を経由し、
前記導出制御手段は、前記事前決定手段の決定結果が第１小役入賞及び第２小役入賞のいずれの発生も許容する複数種類の特定結果のうちいずれかの種類の特定結果となった場合において当該特定結果の種類に対応する操作手順のうちの第１操作手順で前記導出操作手段が操作されたときに、前記第１小役入賞が発生する表示結果組合せを導出する制御を行い、当該特定結果の種類に対応する操作手順のうちの第２操作手順で前記導出操作手段が操作されたときに、前記第２小役入賞が発生する表示結果組合せを導出する制御を行い、当該特定結果の種類に対応する操作手順とは異なる操作手順で前記導出操作手段が操作されたときに、前記再遊技の付与も前記遊技用価値の付与も伴わない特定表示結果組合せを導出する制御を行い、
前記特定移行条件は、前記特定表示結果組合せの導出であり、
前記特定表示結果組合せは複数種類あり、
前記事前決定手段の決定結果が前記複数種類の特定結果のうちいずれであるかに応じて、導出され得る前記特定表示結果組合せの種類が異なる、スロットマシン。
【手続補正２】
【補正対象書類名】明細書
【補正対象項目名】０００５
【補正方法】変更
【補正の内容】
【０００５】
上記課題を解決するために、本発明の請求項１に記載のスロットマシンは、
各々が識別可能な複数種類の識別情報を変動表示可能な可変表示部を複数備え、
前記可変表示部の変動表示を停止することで表示結果を導出し、複数の可変表示部の表示結果の組合せである表示結果組合せに応じて入賞が発生可能なスロットマシンにおいて、
表示結果が導出される前に、遊技用価値の付与を伴う小役入賞と、再遊技の付与を伴う再遊技入賞と、を含む複数種類の入賞について発生を許容するか否かを決定する事前決定手段と、
遊技者が表示結果を導出させるために操作する導出操作手段と、
前記表示結果を導出する制御を行う導出制御手段と、
第１遊技状態に制御する第１遊技状態制御手段と、
前記第１遊技状態とは異なる第２遊技状態に制御する第２遊技状態制御手段と、
前記第１遊技状態及び前記第２遊技状態よりも遊技者にとって有利な遊技状態である第３遊技状態に制御する第３遊技状態制御手段と、
前記第１遊技状態において特定移行条件が成立したときに前記第２遊技状態に移行させる第２遊技状態移行手段と、
前記第２遊技状態において所定移行条件が成立したときに前記第３遊技状態へ移行させる第３遊技状態移行手段と、
を備え、
前記第１遊技状態から前記第３遊技状態に直接移行させることがなく、前記第１遊技状態から前記第３遊技状態への移行は、必ず前記第２遊技状態を経由し、
前記導出制御手段は、前記事前決定手段の決定結果が第１小役入賞及び第２小役入賞のいずれの発生も許容する複数種類の特定結果のうちいずれかの種類の特定結果となった場合において当該特定結果の種類に対応する操作手順のうちの第１操作手順で前記導出操作手段が操作されたときに、前記第１小役入賞が発生する表示結果組合せを導出する制御を行い、当該特定結果の種類に対応する操作手順のうちの第２操作手順で前記導出操作手段が操作されたときに、前記第２小役入賞が発生する表示結果組合せを導出する制御を行い、当該特定結果の種類に対応する操作手順とは異なる操作手順で前記導出操作手段が操作されたときに、前記再遊技の付与も前記遊技用価値の付与も伴わない特定表示結果組合せを導出する制御を行い、
前記特定移行条件は、前記特定表示結果組合せの導出であり、
前記特定表示結果組合せは複数種類あり、
前記事前決定手段の決定結果が前記複数種類の特定結果のうちいずれであるかに応じて、導出され得る前記特定表示結果組合せの種類が異なる
ことを特徴としている。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
始動条件が成立した場合、遊技者にとって有利な特別遊技を実行するか否かの判定を行う特別遊技判定手段と、
前記特別遊技判定手段による判定結果に基づいて、遊技演出を実行制御する演出制御手段と、を備え、
前記演出制御手段は、
前記遊技演出の実行期間において、段階的に演出が進展可能である疑似連続予告を実行可能であり、
前記遊技演出の実行期間が第１期間の場合は第１疑似連続予告を実行可能とし、
前記遊技演出の実行期間が前記第１期間よりも長い第２期間の場合は、前記第１疑似連続予告の少なくとも一部と同じ演出を含むとともに前記第１疑似連続予告と異なる演出を含む第２疑似連続予告を実行可能とし、
前記第１疑似連続予告よりも前記第２疑似連続予告のほうが段階的に進展する前記遊技演出を実行可能であり、
前記判定結果が前記特別遊技を実行しない場合と、前記特別遊技を実行する場合とでは、前記第１疑似連続予告と前記第２疑似連続予告との実行割合が異なる、ことを特徴とする遊技機。
【請求項２】
始動条件が成立した場合、遊技者にとって有利な特別遊技を実行するか否かの判定を行う特別遊技判定手段と、
前記特別遊技判定手段による判定結果に基づいて、遊技演出を実行制御する演出制御手段と、を備え、
前記演出制御手段は、
前記遊技演出の実行期間において、段階的に演出が進展可能であるステップアップ予告を実行可能であり、
前記遊技演出の実行期間が第１期間の場合は第１ステップアップ予告を実行可能とし、
前記遊技演出の実行期間が前記第１期間よりも長い第２期間の場合は、前記第１ステップアップ予告の少なくとも一部と同じ演出を含むとともに前記第１ステップアップ予告と異なる演出を含む第２ステップアップ予告を実行可能とし、
前記第１ステップアップ予告よりも前記第２ステップアップ予告のほうが段階的に進展する前記遊技演出を実行可能であり、
前記判定結果が前記特別遊技を実行しない場合と、前記特別遊技を実行する場合とでは、前記第１ステップアップ予告と前記第２ステップアップ予告との実行割合が異なる、ことを特徴とする遊技機。
【手続補正２】
【補正対象書類名】明細書
【補正対象項目名】０００６
【補正方法】変更
【補正の内容】
【０００６】
第１の発明に係る遊技機は、始動条件が成立した場合、遊技者にとって有利な特別遊技を実行するか否かの判定を行う特別遊技判定手段と、前記特別遊技判定手段による判定結果に基づいて、遊技演出を実行制御する演出制御手段と、を備え、前記演出制御手段は、前記遊技演出の実行期間において、段階的に演出が進展可能である疑似連続予告を実行可能であり、前記遊技演出の実行期間が第１期間の場合は第１疑似連続予告を実行可能とし、前記遊技演出の実行期間が前記第１期間よりも長い第２期間の場合は、前記第１疑似連続予告の少なくとも一部と同じ演出を含むとともに前記第１疑似連続予告と異なる演出を含む第２疑似連続予告を実行可能とし、前記第１疑似連続予告よりも前記第２疑似連続予告のほうが段階的に進展する前記遊技演出を実行可能であり、前記判定結果が前記特別遊技を実行しない場合と、前記特別遊技を実行する場合とでは、前記第１疑似連続予告と前記第２疑似連続予告との実行割合が異なる、ことを特徴とする。
第２の発明に係る遊技機は、始動条件が成立した場合、遊技者にとって有利な特別遊技を実行するか否かの判定を行う特別遊技判定手段と、前記特別遊技判定手段による判定結果に基づいて、遊技演出を実行制御する演出制御手段と、を備え、前記演出制御手段は、前記遊技演出の実行期間において、段階的に演出が進展可能であるステップアップ予告を実行可能であり、前記遊技演出の実行期間が第１期間の場合は第１ステップアップ予告を実行可能とし、前記遊技演出の実行期間が前記第１期間よりも長い第２期間の場合は、前記第１ステップアップ予告の少なくとも一部と同じ演出を含むとともに前記第１ステップアップ予告と異なる演出を含む第２ステップアップ予告を実行可能とし、前記第１ステップアップ予告よりも前記第２ステップアップ予告のほうが段階的に進展する前記遊技演出を実行可能であり、前記判定結果が前記特別遊技を実行しない場合と、前記特別遊技を実行する場合とでは、前記第１ステップアップ予告と前記第２ステップアップ予告との実行割合が異なる、ことを特徴とする。
【手続補正書】
【提出日】平成29年5月8日(2017.5.8)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールに対応して設けられ、前記リールを停止させるときに遊技者が操作する複数のストップスイッチと、
役の抽選を行う役抽選手段と、
前記リールの回転開始命令を受けたときに前記リールの回転を開始し、前記ストップスイッチが操作されたときに、前記役抽選手段による役抽選結果に基づいて、前記リールを停止制御するリール制御手段と
を備えるスロットマシンにおいて、
前記役抽選手段による役抽選結果として、小役Ａ及び小役Ｂの当選を含む第１当選と、小役Ａ及び小役Ｃの当選を含む第２当選とを有し、
前記リール制御手段は、
前記役抽選手段で第１当選となった遊技において、前記ストップスイッチが押し順Ｔ１で操作されたときは、小役Ａに対応する図柄の組合せを有効ラインに停止可能に制御し、
前記役抽選手段で第１当選となった遊技において、前記ストップスイッチが押し順Ｔ１と異なる押し順Ｔ２で操作されたときは、小役Ｂに対応する図柄の組合せを有効ラインに停止可能に制御し、
前記役抽選手段で第２当選となった遊技において、前記ストップスイッチが押し順Ｔ１で操作されたときは、小役Ａに対応する図柄の組合せを有効ラインに停止可能に制御し、
前記役抽選手段で第２当選となった遊技において、前記ストップスイッチが押し順Ｔ２で操作されたときは、小役Ｃに対応する図柄の組合せを有効ラインに停止可能に制御する
ことを特徴とするスロットマシン。
【手続補正２】
【補正対象書類名】明細書
【補正対象項目名】００１３
【補正方法】変更
【補正の内容】
【００１３】
本発明は、以下の解決手段によって上述の課題を解決する。
本発明は、
複数種類の図柄を表示した複数のリール（３１）と、
各前記リールに対応して設けられ、前記リールを停止させるときに遊技者が操作する複数のストップスイッチ（４２）と、
役の抽選を行う役抽選手段（６１）と、
前記リールの回転開始命令を受けたときに前記リールの回転を開始し、前記ストップスイッチが操作されたときに、前記役抽選手段による役抽選結果に基づいて、前記リールを停止制御するリール制御手段（６４）と
を備えるスロットマシンにおいて、
前記役抽選手段による役抽選結果として、小役Ａ（小役１Ａ〜小役１Ｈ）及び小役Ｂ（小役３Ｄ）の当選を含む第１当選（たとえば、小役重複当選１）と、小役Ａ及び小役Ｃ（小役３Ｃ）の当選を含む第２当選（たとえば、小役重複当選２）とを有し、
前記リール制御手段は、
前記役抽選手段で第１当選となった遊技において、前記ストップスイッチが押し順Ｔ１（左第一停止）で操作されたときは、小役Ａに対応する図柄の組合せを有効ラインに停止可能に制御し、
前記役抽選手段で第１当選となった遊技において、前記ストップスイッチが押し順Ｔ１と異なる押し順Ｔ２（中第一停止）で操作されたときは、小役Ｂに対応する図柄の組合せを有効ラインに停止可能に制御し、
前記役抽選手段で第２当選となった遊技において、前記ストップスイッチが押し順Ｔ１で操作されたときは、小役Ａに対応する図柄の組合せを有効ラインに停止可能に制御し、
前記役抽選手段で第２当選となった遊技において、前記ストップスイッチが押し順Ｔ２で操作されたときは、小役Ｃに対応する図柄の組合せを有効ラインに停止可能に制御する
ことを特徴とする。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
照明光の照射と非照射とを交互に繰り返し、且つ照射する照明光を、第１の照明光と、光量及び分光特性の少なくとも一方が該第１の照明光と異なる第２の照明光と、の間で交互に切り替える光源部と、
前記照明光により照明された被写体を撮像する撮像素子と、
前記照明光の照射期間中に前記撮像素子にて蓄積された電荷を、該照射期間に続く該照明光の非照射期間中に読み出す撮像素子制御手段と、
を備え、
前記第１の照明光の光量は、前記第２の照明光の光量よりも大きく、
前記第１の照明光の照射期間は、前記第２の照明光の照射期間よりも短く、
前記撮像素子の、前記第１の照明光の照射期間における露光時間は、前記第２の照明光の照射期間における露光時間よりも短い、
電子内視鏡システム。
【請求項２】
前記第１の照明光の照射期間は、前記照明光の非照射期間よりも短い、
請求項１に記載の電子内視鏡システム。
【請求項３】
前記第２の照明光の照射期間は、前記照明光の非照射期間よりも長い、
請求項１又は請求項２に記載の電子内視鏡システム。
【請求項４】
前記光源部は、
白色光を射出する光源と、
少なくとも、前記白色光を前記第１の照明光にフィルタリングする第１のフィルタ、該白色光を前記第２の照明光にフィルタリングする第２のフィルタがそれぞれ、円周方向において該第１の照明光の照射期間、該第２の照明光の照射期間に応じた角度範囲に並べて配置された回転板と、
前記回転板を回転させることにより、前記第１の照明光の照射期間中、前記第１のフィルタを前記白色光の光路に挿入させ、前記第２の照明光の照射期間中、前記第２のフィルタを該光路に挿入させる回転駆動部と、
を備える、
請求項１から請求項３の何れか一項に記載の電子内視鏡システム。
【請求項５】
前記回転板は、
前記第１のフィルタ、前記白色光を遮光する遮光部、前記第２のフィルタ、該遮光部がそれぞれ、円周方向において前記第１の照明光の照射期間、前記非照射期間、前記第２の照明光の照射期間、該非照射期間に応じた角度範囲に並べて配置されており、
前記回転駆動部は、
前記回転板を回転させることにより、前記非照射期間中、前記遮光部を前記光路に挿入させる、
請求項４に記載の電子内視鏡システム。
【請求項６】
前記撮像素子は、
ＣＭＯＳ型のイメージセンサである、
請求項１から請求項５の何れか一項に記載の電子内視鏡システム。